(57)【要約】【課題】実施形態の課題は、表示品位の向上したバックライト装置および液晶表示装置を提供することにある。【解決手段】実施形態に係るバックライト装置は、導光板ＬＧと、導光板に光を入射する光源と、を備えている。導光板は、出射面を形成する第1主面と、第1主面と対向する第２主面と、光源に対向する入射面を形成した第１側面と、前記第１側面と対向する第２側面４０ｄと、それぞれ前記第１側面および第２側面に繋がる一対の第３側面４０ａ、４０ｂとを有している。第２側面と第３側面とは第１コーナー部Ｃ１、Ｃ２で繋がり、第２側面は、第１コーナー部よりも入射面側まで位置する凹部５０Ｂを有している。凹部は第３側面と対向する内側面５１ａと、第1側面と対向する内底面５１ｂとを有し、内側面と内底面とは円弧状の第２コーナー部５１ｃで繋がり、第２コーナー部の表面粗さは、内底面の表面粗さよりも粗い。【選択図】  図８
2020024800.tif 000002
【特許請求の範囲】
【請求項１】
導光板と、
前記導光板に光を入射する光源と、を備え、
前記導光板は、出射面を形成する第1主面と、前記第1主面と対向する第２主面と、前記第１主面と前記第２主面とを繋ぐ側面とを有し、
前記側面は、前記光源に対向する入射面を形成した第１側面と、前記第１側面と対向する第２側面と、それぞれ前記第１側面および第２側面に繋がる一対の第３側面とを有し、
前記第２側面と前記第３側面とは第１コーナー部で繋がり、
前記第２側面は、前記第１コーナー部よりも前記入射面側まで位置する凹部を有し、
前記凹部は前記第３側面と対向する内側面と、前記第1側面と対向する内底面とを有し、前記内側面と内底面とは円弧状の第２コーナー部で繋がり、
前記第２コーナー部の表面粗さは、前記内底面の表面粗さよりも粗いこと特徴とするバックライト装置。
【請求項２】
前記第２コーナー部の曲率半径を０〜３ｍｍに形成した構造である請求項１に記載のバックライト装置。
【請求項３】
前記内側面は、前記第３側面の表面粗さと共通の表面粗さを有し、
前記第２コーナー部の表面粗さを前記第３側面の表面粗さよりも粗くした構造である請求項１に記載のバックライト装置。
【請求項４】
前記第２コーナー部に形成された黒色膜を有している請求項１に記載のバックライト装置。
【請求項５】
前記第１側面と前記第３側面とは第３コーナー部で繋がり、前記第３コーナー部は、それぞれ円弧状にラウンドしている請求項１から４のいずれか１項に記載のバックライト装置。
【請求項６】
前記光源は、それぞれ前記導光板の入射面に対向して配置された複数の発光素子を有し、前記複数の発光素子は、前記入射面の長手方向の一端から他端まで所定の間隔を置いて並んで配置され、
前記導光板は、前記第３コーナー部の近傍で前記第１主面に形成された複数のガイド溝を有し、前記複数のガイド溝は、前記第３コーナー部に最も隣接して配置された前記発光素子の近傍から前記第３側面の端縁まで前記発光素子の光軸に対し前記第３側面側に傾斜して延在している請求項５に記載のバックライト装置。
【請求項７】
前記光源は、それぞれ前記導光板の入射面に対向して配置された複数の発光素子を有し、前記複数の発光素子は、前記入射面の長手方向の一端から他端まで所定の間隔を置いて並んで配置され、
前記入射面の内、前記第３コーナー部に最も隣接して配置された前記発光素子と対向する入射面領域は、前記導光板の第１側面と平行な方向に対して、前記第３側面側に傾斜し、前記発光素子は、前記入射面領域に合わせて前記第３側面側に傾けて配置されている請求項５に記載のバックライト装置。
【請求項８】
前記光源は、それぞれ前記導光板の入射面に対向して配置された複数の発光素子を有し、前記複数の発光素子は、前記入射面の長手方向の一端から他端まで所定の間隔を置いて並んで配置され、
前記導光板は、前記入射面に設けられた断面が三角形状の複数のリブを一体に有し、
前記複数のリブは、それぞれ前記第１主面と交差する方向に延在し、前記第１主面と平行な方向に並んで配置され、
少なくとも前記第３コーナー部に最も隣接して配置された前記発光素子は、前記複数のリブに対向して配置されている請求項５に記載のバックライト装置。
【請求項９】
前記導光板の前記第１主面において、少なくとも前記第３側面側の端部領域は平坦な鏡面に形成されている請求項８に記載のバックライト装置。
【請求項１０】
液晶表示パネルと、
前記液晶表示パネルの背面に対向して設けられた請求項１から９のいずれか１項に記載のバックライト装置と、
を備える液晶表示装置。
【発明の詳細な説明】
【技術分野】
【０００１】
本発明の実施形態は、バックライト装置およびこれを備える液晶表示装置に関する。
【背景技術】
【０００２】
近年、スマートフォン、タブレットコンピュータ等の携帯端末の表示装置、あるいは、車載機器の表示装置として、液晶表示装置が広く用いられている。一般に、液晶表示装置は、液晶表示パネルと、液晶表示パネルの背面側に対向配置され、液晶表示パネルを照明するバックライト装置（照明装置）と、を備えている。  
バックライト装置は、液晶表示パネルに対向する出射面を有する導光板と、この導光板に重ねて載置された光学シートと、導光板の背面に対向して設けられた反射シートと、導光板の入射面（端面）に光を入射する光源と、を備えている。導光板に入射した光は、導光板内で反射を繰り返し、出射面の全面から液晶表示パネルに向けて出射する。
【０００３】
近年、導光板の入射面と反対側の側面（反入光側端面）にバスタブ形状あるいは矩形状の凹部（ノッチ）を設けた導光板が提案されている。この凹部（ノッチ）は、カメラ、センサ等の付帯機器を設けるスペースとして利用されている。通常、導光板は、金型を用いて射出成形により形成され、成形品の一端面を機械加工、例えば、切削加工することにより、上記凹部を形成している。
このように、機械加工により凹部を形成した場合、凹部を規定している複数の機械加工面（内側面）は、導光板の他の表面および側面に比較して、表面粗さが一桁以上粗くなる。そのため、導光板に入射した光の一部が上記機械加工面に当たって拡散あるいは乱反射し、凹部の端縁が明るく光ってしまう。これにより、表示画面の表示品位が低下する。
【０００４】
多くの導光板では、各コーナー部は、所望の曲率半径を有する円弧状にラウンドしている。このようなコーナー部で反射した光と、前述した凹部の機械加工面で反射した光が、コーナー部近傍の点に集中し、輝点となる場合ある。このような輝点の発生も表示品位を低下させる要因となる。更に、導光板の光源側、すなわち、入光側の２つのコーナー部がラウンドしている場合、入光側において、各コーナー部の輝度（光量）が低下あるいは不足する場合がある。
【先行技術文献】
【特許文献】
【０００５】
【特許文献１】特開２０１０−２０５６１３号公報
【発明の概要】
【発明が解決しようとする課題】
【０００６】
この発明の実施形態の課題は、表示品位の向上したバックライト装置および液晶表示装置を提供することにある。
【課題を解決するための手段】
【０００７】
実施形態に係るバックライト装置は、導光板と、前記導光板に光を入射する光源と、を備えている。前記導光板は、出射面を形成する第1主面と、前記第1主面と対向する第２主面と、前記第１主面と前記第２主面とを繋ぐ側面とを有し、前記側面は、前記光源に対向する入射面を形成した第１側面と、前記第１側面と対向する第２側面と、それぞれ前記第１側面および第２側面に繋がる一対の第３側面とを有している。前記第２側面と前記第３側面とは第１コーナー部で繋がり、前記第２側面は、前記第１コーナー部よりも前記入射面側まで位置する凹部を有している。前記凹部は前記第３側面と対向する内側面と、前記第1側面と対向する内底面とを有し、前記内側面と内底面とは円弧状の第２コーナー部で繋がり、前記第２コーナー部の表面粗さは、前記内底面の表面粗さよりも粗い。
【図面の簡単な説明】
【０００８】
【図１】図１は、実施形態に係る液晶表示装置の表示面側を示す斜視図。
【図２】図２は、前記液晶表示装置の分解斜視図。
【図３】図３は、バックライト装置の分解斜視図。
【図４】図４は、前記バックライト装置の導光板の射出成形に用いる金型の一例を示す平面図。
【図５】図５は、第１スライダおよび第２スライダが開放した状態の前記金型の平面図。
【図６】図６は、前記導光板の反入射側端部を示す斜視図。
【図７】図７は、前記導光板の反入射側の端部を概略的に示す平面図。
【図８】図８は、他の反射低減構造を有する前記導光板の反入射側の端部を概略的に示す平面図。
【図９】図９は、更に他の反射低減構造を有する前記導光板の反入射側の端部を概略的に示す平面図。
【図１０】図１０は、前記導光板の入射側の端部および光源を示す平面図。
【図１１】図１１は、前記導光板の入射側の端部および光源を示す斜視図。
【図１２】図１２は、他の構成例に係る導光板の入射側の端部および光源を示す平面図。
【図１３】図１３は、前記他の構成例に係る導光板の入射側の端部および光源を示す斜視図。
【図１４】図１４は、更に他の構成例に係る導光板の入射側の端部および光源を示す平面図。
【図１５】図１５は、前記更に他の構成例に係る導光板の入射側の端部および光源を示す斜視図。
【発明を実施するための形態】
【０００９】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態）
図１は、実施形態に係る液晶表示装置の表示面側を示す斜視図、図２は、液晶表示装置の分解斜視図である。  
液晶表示装置１０は、例えばスマートフォン、タブレット端末、携帯電話機、携帯型ゲーム機、電子辞書、或いはテレビ装置などの各種の電子機器、あるいは、ナビゲーションシステム、メータパネル等の車載機器に組み込んで使用することができる。
【００１１】
図１および図２に示すように、液晶表示装置１０は、アクティブマトリクス型の液晶表示パネル１２と、液晶表示パネル１２の一方の表面である表示面１２ａに重ねて配置され、表示面１２ａ全体を覆うカバーパネル１４と、液晶表示パネル１２の他方の表面である背面に対向配置されたバックライト装置（面状照明装置）２０と、を備えている。バックライト装置２０は、液晶表示パネル１２に背面側から面状光を照射して照明する。
【００１２】
図２に示すように、液晶表示パネル１２は、矩形状の第１基板ＳＵＢ１と、第１基板ＳＵＢ１に対向配置された矩形状の第２基板ＳＵＢ２と、第１基板ＳＵＢ１と第２基板ＳＵＢ２との間に封止された図示しない液晶層と、を備えている。第２基板ＳＵＢ２の周縁部は、シール材ＳＥにより第１基板ＳＵＢ１に貼り合わされている。第２基板ＳＵＢ２の表面に図示しない偏光板が貼付され、液晶表示パネル１２の表示面１２ａを形成している。一例では、液晶表示パネル１２の４つの角部（コーナー部）は、それぞれ所望の曲率半径でラウンドした円弧状に形成されている。
【００１３】
液晶表示パネル１２では、表示面１２ａを平面視した状態で、シール材ＳＥの内側となる領域に矩形状の表示領域（アクティブ領域）ＤＡが設けられている。表示領域ＤＡに画像が表示される。表示領域ＤＡの周囲に、枠状の額縁領域（非表示領域）ＥＤが設けられている。液晶表示パネル１２は、バックライト装置２０からの光を表示領域ＤＡに選択的に透過させることで画像を表示する透過表示機能を備えている。また、液晶表示パネル１２は、図示しないタッチセンサを備えたタッチ入力可能な表示パネルとしてもよい。
【００１４】
図示した例では、第１基板ＳＵＢ１の一方の短辺１２ｂ側の端部にフレキシブルプリント回路基板（ＦＰＣ）２２が接合され、液晶表示パネル１２から外方に延出している。ＦＰＣ２２には、液晶表示パネル１２を駆動するのに必要な信号を供給する信号供給源として、駆動ＩＣチップ２１等の半導体素子が実装されている。  
液晶表示パネル１２の他方の短辺（反光源側の短辺）１２ｃに、矩形状あるいはバスタブ形状の凹部（あるいはノッチ）３０が形成されている。第１基板ＳＵＢ１および第２基板ＳＵＢ２の短辺の長手方向ほぼ中央部は、内側、すなわち、表示領域ＤＡ側に凹み、ほぼ矩形状の凹部３０を規定している。シール材ＳＥは、凹部３０の端縁に沿って延在している。
【００１５】
カバーパネル１４は、例えば、ガラス板製あるいはアクリル系の透明樹脂製であり、矩形板状を呈している。カバーパネル１４は、液晶表示パネル１２の表示面１２ａを全体亘って覆っている。カバーパネル１４の背面（液晶表示パネル１２側の面、あるいは、観察者に対向する面と反対側となる面）の周縁部に枠状の遮光層ＲＳが形成されている。なお、遮光層ＲＳは、カバーパネル１４の上面（表示面）に形成してもよい。  
カバーパネル１４の背面（裏面）は、光透過性を有する接着剤あるいは粘着剤、例えば、光学用透明樹脂からなる粘着シートにより、液晶表示パネル１２の偏光板に貼付されている。
【００１６】
次に、バックライト装置２０の構成例を詳細に説明する。
図２に示したように、バックライト装置２０は、全体として、液晶表示パネル１２とほぼ等しい大きさの矩形板状に構成されている。バックライト装置２０の４つの角部（コーナー部）は、それぞれ所望の曲率半径でラウンドした円弧状に形成されている。更に、バックライト装置２０の一方の短辺側の側面に、内側に凹んだほぼ矩形状の凹部５０が設けられている。凹部５０は、液晶表示パネル１２の凹部３０に対応して設けられている。
図３は、バックライト装置の分解斜視図である。図２および図３に示すように、バックライト装置２０は、ケース（ベゼル）２４と、ケース２４内に配置された複数の光学部材と、光学部材に入射する光を供給する光源装置４２と、を備えている。本実施形態において、ケース２４は、矩形状のフレーム２６と、フレーム２６の背面に固定された矩形状の底板２７と、を有している。これらフレーム２６および底板２７は、いずれも樹脂製、金属製として一体に形成することが可能である。同様に、いずれか一方を樹脂製、他方を金属製とする構成も採用可能である。本実施形態では、フレーム２６は樹脂で形成され、底板２７は、反射シートＲＥで構成している。フレーム２６および反射シートＲＥの４つの角部は、所望の曲率半径でラウンドした円弧状に形成されている。また、フレーム２６および反射シートＲＥの短辺部の中央に、凹部５０に対応するほぼ矩形状の凹部５０Ａが設けられている。
【００１７】
光学部材は、フレーム２６内で反射シートＲＥ上に配置された導光板ＬＧ、および導光板ＬＧ上に重ねて配置された複数枚、例えば、２枚の第１光学シートＯＳ１、第２光学シートＯＳ２を有している。
導光板ＬＧは、矩形板状に形成され、液晶表示パネル１２に対向する第１主面（出射面）３６ａ、この第１主面と反対側に位置し、反射シートＲＥに対向する第２主面（反射面）３６ｂ、および、第１主面３６ａと第２主面３６ｂとに繋がる複数の側面（端面）を有している。すなわち、複数の側面は、それぞれ第１主面３６ａの長辺に沿って延在する一対の長辺側面（第３側面）４０ａ、４０ｂ、およびそれぞれ第１主面３６ａの短辺に沿って延在する一対の短辺側面４０ｃ、４０ｄを有している。一方の短辺側面（第１側面）４０ｃは導光板ＬＧの入射面を形成し、他方の短辺側面（第２側面）４０ｄは、反入射側の側面を形成している。  
導光板ＬＧは、反入射側の２つのコーナー部、すなわち、短辺側面（第２側面）４０ｄと長辺側面（第３側面）４０ａ、４０ｂとが繋がる２つの第１コーナー部Ｃ１、Ｃ２と、入射側の２つのコーナー部、すなわち、入射側の短辺側面（第１側面）４０ｃと長辺側面４０ａ、４０ｂとが繋がる２つの第３コーナー部Ｃ３と、を有している。導光板ＬＧの４つの角部（コーナー部）は、それぞれ所望の曲率半径でラウンドした円弧状に形成されている。
反入射側の短辺側面４０ｄのほぼ中央にほぼ矩形状の凹部（あるいはノッチ）５０Ｂが設けられている。凹部５０Ｂは、導光板ＬＧの内側に向かって、すなわち、入射面４０ｃ側に向かって凹んでいる。凹部５０Ｂの底側部分は、導光板ＬＧの第１コーナー部Ｃ１、Ｃ２よりも入射面側に位置している。また、凹部５０Ｂは、フレームの２６の凹部５０Ａに対向した位置及び大きさに形成されている。
【００１８】
光学シートＯＳ１、ＯＳ２は、それぞれ光透過性を有し、導光板ＬＧの出射面３６ａに重ねて載置されている。本実施形態では、光学シートＯＳ１、ＯＳ２として、例えば、ポリエチレンテレフタレート等の合成樹脂で形成された光拡散シートおよびプリズムシート等を用いている。これらの光学シートＯＳ１、ＯＳ２は、いずれもほぼ同一寸法の矩形状に形成され、導光板ＬＧの出射面３６ａ上に順に重ねて載置されている。光学シートＯＳ１、ＯＳ２は、一方の短辺の中央部に形成されたほぼ矩形状の凹部５０Ｃをそれぞれ有している。凹部５０Ｃは、導光板ＬＧの凹部５０Ｂに対応した位置及び大きさに形成され、凹部５０Ｂに重なって配置されている。
【００１９】
図３に示すように、光源装置４２は、細長い回路基板４４ａと、回路基板４４ａ上に実装された複数の光源、例えば、発光素子（ＬＥＤ）４４ｂと、を有している。回路基板４４ａは、両面テープ等によりフレーム２６および導光板ＬＧに取付けられている。複数のＬＥＤ４４ｂはそれぞれ導光板ＬＧの入射面４０ｃに対向している。複数のＬＥＤ４４ｂは、入射面４０ｃに沿って並んで配置され、入射面４０ｃのほぼ全面に亘って光を出射する。ＬＥＤ４４ｂから出射された光は、入射面４０ｃから導光板ＬＧに入射し、導光板ＬＧ内で反射を繰り返した後、出射面３６ａのほぼ全面から液晶表示パネル１２に向けて出射する。
図２および図３に示すように、導光板ＬＧおよび光学シートＯＳ１に重ねて配置された光学シートＯＳ２の周縁部、および光源装置４２は、矩形枠状の両面テープＴＰ１によりフレーム２６に貼付されている。両面テープＴＰ１の一方の短辺の中央部は、凹部５０に沿って矩形状に屈曲して、すなわち、凹んで形成されている。
【００２０】
導光板ＬＧの構成例について、更に詳細に説明する。  
導光板ＬＧは、合成樹脂により射出成形されたものを用いている。図４は、射出成形に用いる金型の一例を概略的に示す平面図、図５は、第１スライダおよび第２スライダを成形位置から取出し位置にスライドさせた状態の金型を概略的に示す平面図である。
一例では、金型は、図示の固定側金型（第１金型）１００と、固定側金型１００に対して開閉可能な図示しない可動側金型（第２金型）とを備えている。第１金型１００は、導光板ＬＧに対応した形状、寸法を有するほぼ矩形状のチャンバＣＨ、およびチャンバＣＨに溶融樹脂を導くスプール１０２およびゲート１０４を有している。また、第１金型１００は、それぞれチャンバＣＨに対して移動可能に（スライド可能に）設けられた板状の第１スライダＳ１および第２スライダＳ２を有している。
【００２１】
第１スライダＳ１は、チャンバＣＨの一方の短辺を規定する成形端面ＥＳ１を有している。成形端面ＥＳ１の長手方向中央部に、ほぼ矩形状の凸部１０６が一体に形成されている。凸部１０６は、前述した導光板ＬＧの凹部５０Ｂに対応した形状を有し、成形時に導光板ＬＧに凹部５０Ｂを形成する。第１スライダＳ１の成形端面ＥＳ１の長手方向両端部に、導光板ＬＧのコーナー部を形成するための一対の角成形片ＣＰ１が設けられている。一対の角成形片ＣＰ１は、第１スライダＳ１と一体にスライド可能である。  
第１スライダＳ１は、図４に示す成形位置と、図５に示す取出し位置との間をスライド可能に設けられている。成形位置において、第１スライダＳ１の成形端面ＥＳ１および一対の角成形片ＣＰ１は、チャンバＣＨの短辺を形成する位置に配置される。取出し位置において、第１スライダＳ１の成形端面ＥＳ１および一対の角成形片ＣＰ１は、成形品、すなわち、導光板ＬＧ、の短辺から離間し、僅かな隙間を介して導光板ＬＧに対向する。
【００２２】
第２スライダＳ２は、チャンバＣＨの他方の短辺を規定する成形端面ＥＳ２を有している。成形端面ＥＳ２はほぼ平坦に形成されている。成形端面ＥＳ２の長手方向両端部に、導光板ＬＧのコーナー部を形成するための一対の角成形片ＣＰ２が設けられている。一対の角成形片ＣＰ２は、第２スライダＳ２と一体にスライド可能である。  
第２スライダＳ２は、図４に示す成形位置と、図５に示す取出し位置との間をスライド可能に設けられている。成形位置において、第２スライダＳ２の成形端面ＥＳ２および一対の角成形片ＣＰ２は、チャンバＣＨの短辺を形成する位置に配置される。取出し位置において、第２スライダＳ２の成形端面ＥＳ２および一対の角成形片ＣＰ２は、成形品、すなわち、導光板ＬＧ、の短辺から離間し、僅かな隙間を介して導光板ＬＧに対向する。
【００２３】
導光板ＬＧを射出成形する際、図４に示すように、第１スライダＳ１および第２スライダＳ２をそれぞれ成形位置に保持した状態で、スプール１０２およびゲート１０４を通して、チャンバＣＨ内に溶融樹脂を充填する。冷却により樹脂が凝固した後、第２金型を開放するとともに、第１スライダＳ１および第２スライダＳ２を取出し位置に移動させ、成形品から離間させる。この状態で、成形品、すなわち、導光板ＬＧを第１金型１００から排出する（取り出す）。  
上記射出成形により、凹部５０Ｂおよびラウンドした４つのコーナー部を有する導光板ＬＧが成形される。導光板ＬＧの凹部５０Ｂは、成形後、機械加工により形成するのではなく、金型の凸部１０６により一体に成形している。そのため、凹部５０Ｂを規定している内面（一対の内側面および内底面）は、導光板ＬＧの他の側面および表面と同一の表面粗さ（例えば、面粗さＲａ：０．０１８μｍ）を有している。凹部５０Ｂを切削により形成した場合、凹部内面の表面粗さは、例えば、Ｒａ：０．１５１μｍ程度であることから、凹部５０Ｂを金型で成形することにより、凹部内面の表面粗さを１桁以上小さくすることができる。なお、凹部内面の表面粗さは、金型部品の加工仕上げを調整することにより、コントロール可能である。
【００２４】
図６は、導光板ＬＧの反入射側の短辺部を示す斜視図である。図示のように、導光板ＬＧの凹部５０Ｂは、それぞれ短辺側面４０ｄから入射面に向かって導光板ＬＧの長辺とほぼ平行に延びる一対の内側面５１ａと、一対の内側面５１ａの延出端間を導光板ＬＧの短辺と平行に延びる内底面５１ｂと、内側面５１ａと内底面５１ｂとが繋がる２つの角部（第２コーナー部）５１ｃと、で規定されている。前述したように、凹部５０Ｂを射出成形により形成することにより、内側面５１ａおよび内底面５１ｂの表面粗さは、導光板ＬＧの他の側面４０ａ〜４０ｄおよび第１、第２主面３６ａ、３６ｂと同様の表面粗さ（例えば、Ｒａ：０．０１８μｍ）を有している。このように、内側面５１ａおよび内底面５１ｂの表面粗さが小さいことから、凹部５０Ｂでの光の拡散を低減し、凹部５０Ｂの端縁の輝度上昇を抑制することが可能となる。
【００２５】
図７は、導光板ＬＧの反入射側の短辺部を拡大して示す平面図である。図示のように、導光板ＬＧの反入射側のコーナー部（第１コーナー部）Ｃ１、Ｃ２がラウンドしている構成の場合、導光板ＬＧに入射した入射光の内、コーナー部Ｃ１（あるいはＣ２）で反射、屈折した光と、凹部５０Ｂの角部５１ｃで反射した光とが導光板ＬＧの短辺のコーナー部Ｃ１，Ｃ２近傍位置に集中し、輝点となる場合がある。そこで、本実施形態に係る導光板ＬＧは、凹部５０Ｂの角部５１ｃでの光反射を低減する低減構造を備えている。一例では、低減構造として、凹部５０Ｂの各角部５１ｃの曲率半径ＲをＲ＝０〜３ｍｍに形成している。各角部５１ｃの曲率半径をＲ＝０に近づけ、角部をほぼ直角に形成している。Ｒ＝０に近づけることにより、角部５１ｃでコーナー部Ｃ１、Ｃ２側に反射する反射光が低減する。これにより、コーナー部近傍の輝点発生を抑制することが可能となる。
【００２６】
低減構造の他の例として、図８に概略的に示すように、凹部５０Ｂの角部５１ｃの表面粗さを、凹部５０Ｂの他の部分、すなわち、内側面５１ａおよび内底面５１ｂの表面粗さよりも粗く形成してもよい。この場合でも、角部５１ｃでの光反射を低減し、上記と同様の作用効果を得ることができる。  
更に他の低減構造として、図９に示すように、凹部５０Ｂの角部５１ｃに黒色印刷、黒色フィルム等の黒色膜ＢＰを設け、光反射を抑制するようにしてもよい。このような黒色膜ＢＰは、角部５１ｃを含む内側面５１ａおよび内底面５１ｂの全面に設けてもよい。
また、導光板ＬＧの第２主面３６ｂに形成されているドットパターンの内、前記輝点が発生し易いコーナー部Ｃ１、Ｃ２の近傍位置と対向する領域のパターン形成密度を他の領域よりも低くし、この領域の輝度を積極的に下げる構成としてもよい。輝度を下げることにより、導光板ＬＧのコーナー部Ｃ１、Ｃ２の輝度を均一にすることが可能となる。
【００２７】
図１０は、導光板ＬＧの入射側の端部を示す平面図、図１１は、導光板ＬＧの入射側の端部を示す斜視図である。導光板ＬＧの入射側短辺側のコーナー部Ｃ３がラウンドしている場合、光源装置のＬＥＤ４４ｂをコーナー部Ｃ３近傍、特に、長辺側面４０ａ、４０ｂ近傍に配置することが難しい。そのため、導光板ＬＧのコーナー部は入射光量が少なく、暗く成り易い。  
そこで、本実施形態では、図１０に示のように、導光板ＬＧの第１主面３６ａにおいて、入射面４０ｃ側のコーナー部Ｃ３を含む領域に、入射面４０ｃから長辺側面４０ａに向かって延びる複数のガイド溝（例えば、断面が三角形のＶ溝）５４を設けている。すなわち、最もコーナー部Ｃ３側に設けられたＬＥＤ４４ｂと対向する領域の短辺から、一方の長辺まで、ＬＥＤ４４ｂの光軸に対して長辺側に傾斜した複数のガイド溝５４が設けられている。最もコーナー部Ｃ３側に設けられたＬＥＤ４４ｂから導光板ＬＧに入射した光の一部は、複数のガイド溝５４に沿って伝搬し、コーナー部Ｃ３近傍の領域を明るく照らす。これにより、導光板ＬＧのコーナー部Ｃ３の輝度低下を抑制することができる。導光板ＬＧの他方のコーナー部Ｃ３についても、上記と同様に複数のガイド溝５４を設けている。
【００２８】
図１２は、コーナー部の輝度低下を抑制する他の構造例を示す導光板の入射側端部の平面図、図１３は、導光板の入射側端部の斜視図である。  
図示のように、他の構造例では、導光板ＬＧの入射面の内、コーナー部に最も隣接して設けられたＬＥＤ４４ｂに対向する入射面４０ｃ２領域を、外側、つまり、導光板ＬＧの長辺側に傾けて形成し、ＬＥＤ４４ｂの出射面を入射面４０ｃ２領域に合わせて外側に傾けて配置している。すなわち、入射面４０ｃ２領域は、導光板ＬＧの短辺と平行な方向に対して、反入射側および長辺側に所定角度傾斜している。これにより、ＬＥＤ４４ｂの出射光は導光板ＬＧのコーナー部Ｃ３に向けて出射される。そのため、コーナー部Ｃ３を明るく照らし、コーナー部Ｃ３の輝度低下を抑制することができる。導光板ＬＧの他方のコーナー部Ｃ３についても、上記と同様に構成される。
【００２９】
図１４は、コーナー部の輝度低下を抑制する更に他の構造例を示す導光板の入射側端部の平面図、図１５は、導光板の入射側端部の斜視図である。  
図１５に２点鎖線で示すように、通常、導光板ＬＧの第１主面３６ａには、全面に亘って複数の縦凸条（縦リブ、縦溝）が形成され、第２表面には、複数のドット状突起のパターンが形成されている。各縦凸条は、第１主面３６ａにおいて、入射面４０ｃ側の短辺から反入光側の短辺まで、長辺とほぼ平行に延在している。  
図１４および図１５に示す本実施形態に係る構造例では、少なくとも第１主面３６ａの長辺側端部領域に位置する複数本の縦凸条を無くし、長辺側端部領域を平坦な鏡面としている。あるいは、縦凸条を全て省略し、第１主面３６ａの全面を鏡面としてもよい。  
また、導光板ＬＧの入射面４０ｃの内、少なくとも最もコーナー部Ｃ３側に設けられたＬＥＤ４４ｂと対向する入射面領域に、断面が三角形（Ｖ溝）の複数の凸条（リブ）５８が設けられている。複数のリブ５８は、それぞれ導光板ＬＧの厚さ方向に延在し、入射面４０ｃの長手方向に所定の間隔を置いて並んでいる。複数のリブ５８は、複数のＬＥＤ４４ｂと対向する全ての入射面領域に設けてもよい。また、最もコーナー部Ｃ３側に設けられたＬＥＤ４４ｂと対向する入射面領域以外の他の入射面領域には、断面が半円形の複数の凸条（リブ）を設ける構成としてもよい。
【００３０】
上記構造例によれば、図１４に一点鎖線で示すように、ＬＥＤ４４ｂから出射した光は、複数のリブ（Ｖ溝）５８により拡散され、導光板ＬＧに入射する光線が最大に広がる、すなわち、導光板ＬＧの幅方向に入射角度が増大する。また、出射面３６ａの長辺側端部を鏡面とすることにより、前記入射した光の出射面からの出光が抑えられる。これにより、ＬＥＤ４４ｂから導光板ＬＧに入射した光が、直ちに、出射面３６ａから出光することなく、導光板ＬＧの入射面側のコーナー部Ｃ３まで伝搬する。これにより、コーナー部Ｃ３を明るく照らし、コーナー部の輝度低下を抑制することができる。
【００３１】
以上のように構成された導光板ＬＧおよび光源装置４２を有するバックライト装置２０によれば、短辺部に設けられた凹部５０Ｂの端縁が過度に光ることを防止し、また、反入射側のコーナー部における輝点の発生を抑制することができる。更に、バックライト装置２０によれば、導光板ＬＧの入射側のコーナー部Ｃ３における輝度（光量）低下を抑制し、導光板ＬＧの出射面３６ａの全域から所望の光量の照明光を出射することが可能となる。これにより、表示品位の向上を図ることが可能なバックライト装置および液晶表示装置が得られる。
【００３２】
本発明の実施形態および複数の構成例を説明したが、これらの実施形態および構成例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００３３】
本発明の実施形態として上述した各構成を基にして、当業者が適宜設計変更して実施し得る全ての構成も、本発明の要旨を包含する限り、本発明の範囲に属する。例えば、液晶表示パネルおよび導光板に設けられた凹部は、矩形状、バスタブ形状に限らず、台形状、楕円形状、半円形状等、種々の形状を選択可能である。凹部の幅、深さは、図示した寸法に限定されるものではなく、任意に設定可能である。  
液晶表示パネルおよび導光板の出射面は、平坦な平面に限らず、少なくとも一部が湾曲した形状、長手方向が凹となる曲面あるいは長手方向が凸となる曲面としてもよい。液晶表示パネルおよびバックライト装置の構成部材は、矩形状に限定されることなく、５角形以上の多角形、楕円形、トラック形状等の他の形状としてもよい。また、構成部材の材料は、上述した例に限らず、種々選択可能である。  
上述した実施形態あるいは変形例によりもたらされる他の作用効果について本明細書の記載から明らかなもの、又は当業者において適宜想到し得るものついては、当然に本発明によりもたらされるものと解される。
【符号の説明】
【００３４】
１０…液晶表示装置、１２…液晶表示パネル、２０…バックライト装置、  
２６…フレーム、ＬＧ…導光板、３６ａ…第１主面（出射面）、  
３６ｂ…第２主面（反射面）、４０ａ、４０ｂ…長辺側面（第３側面）、  
４０ｃ…短辺側面（第１側面、入射面）、４０ｄ…短辺側面、４２…光源装置、  
４４ａ…回路基板、４４ｂ…発光素子（ＬＥＤ）、３０、５０…凹部、  
５０Ａ、５０Ｂ…凹部、５１ａ…内側面、５１ｂ…内底面、５１ｃ…角部
【図１】
2020024800.tif 000003
【図２】
2020024800.tif 000004
【図３】
2020024800.tif 000005
【図４】
2020024800.tif 000006
【図５】
2020024800.tif 000007
【図６】
2020024800.tif 000008
【図７】
2020024800.tif 000009
【図８】
2020024800.tif 000010
【図９】
2020024800.tif 000011
【図１０】
2020024800.tif 000012
【図１１】
2020024800.tif 000013
【図１２】
2020024800.tif 000014
【図１３】
2020024800.tif 000015
【図１４】
2020024800.tif 000016
【図１５】
2020024800.tif 000017